(57)【特許請求の範囲】
【請求項１】
カラオケの楽曲の再生に合せて当該楽曲の歌詞テロップと背景映像とを表示装置に表示させるカラオケ装置において、
複数のブロックに分けられ、各ブロックに前記表示装置の表示画面のサイズに応じて何番目までのブロックを表示するかを規定する優先順位が付された、前記歌詞テロップ及び背景映像以外の表示情報と、前記表示装置の表示画面のサイズに応じて、前記表示情報の各ブロックを、表示画面上に表示するか否かおよび表示する場合には前記表示装置の表示画面上のいずれの位置に表示するかを規定する表示制御情報とを含む表示データを記憶する表示データ記憶手段と、
前記表示装置の表示画面のサイズを記憶する画面サイズ記憶手段と、
前記画面サイズ記憶手段に記憶されている表示画面のサイズと、前記表示データ記憶手段に記憶されている表示データに含まれる表示制御情報とに基づいて、前記表示データ記憶手段に記憶されている表示データに含まれる表示情報を前記表示装置の表示画面上に表示させるための映像情報を生成する映像情報生成手段とを備え、
前記表示装置の表示画面上に表示される前記表示情報のブロック数を、前記表示画面のサイズが大きくなるのに応じて前記優先順位に従い増加させるように構成したことを特徴とするカラオケ装置。
【請求項２】
前記映像情報生成手段は、前記表示情報の各ブロックの表示画面上におけるイメージサイズが、表示画面のサイズの大小に係わらずほぼ一定になるように、前記映像情報を生成する、請求項１に記載のカラオケ装置。
【請求項３】
前記画面サイズ記憶手段は、複数の表示装置の表示画面のサイズをそれぞれ記憶可能であり、
前記映像情報生成手段は、相互に表示画面のサイズの異なる表示装置毎にそれぞれ設けられており、
互いに表示画面のサイズが異なる少なくとも２個の表示装置を含む複数の表示装置に前記表示情報を表示させることが可能な、請求項１または請求項２に記載のカラオケ装置。
【発明の詳細な説明】
【０００１】
【発明の属する技術分野】
本発明は、カラオケの楽曲の再生に合せて当該楽曲の歌詞テロップと背景映像とを表示装置に表示するとともに、歌詞テロップ及び背景映像以外の各種の表示情報を表示装置の表示画面に表示させることができるカラオケ装置に関するものである。
【０００２】
【従来の技術】
近年、いわゆるカラオケ装置は、単に楽曲を演奏するだけでなく、いろいろなサービスを提供する装置に発展している。たとえば、カラオケ装置の表示装置の表示画面に、背景映像や歌詞テロップを表示するだけでなく、いろいろな文字情報などの表示情報を表示するサービスが提供されている。
【０００３】
ところが、この表示情報は表示画面全体を使用するので、背景映像や歌詞テロップと同時に見ることができず、表示情報を見るには、演奏を中断して見なければならなかった。
【０００４】
このような問題を解決するため、表示装置の表示画面を分割し、背景映像や歌詞テロップと表示情報とを同時に表示させることにより、カラオケを楽しみながら表示情報を見ることができるようにしたサービスが提案されている。
【０００５】
【発明が解決しようとする課題】
しかしながら、上記いずれのサービスの場合も、表示装置の表示画面のサイズに係わらず、同一内容の表示情報を表示させるので、表示画面のサイズが小さい場合には、表示文字などが小さくなってしまい、表示情報を読み取ることが困難になる。この問題は、画面分割により背景映像や歌詞テロップと表示情報とを同時に表示させる場合に特に顕著である。また逆に、表示画面のサイズが大きい場合には、表示文字などが大きくなり過ぎてしまい、表示画面を十分に有効利用できていないことになる。この問題は、画面分割せずに表示情報のみを表示させる場合に特に顕著である。
【０００６】
本発明は、上記の点に鑑みて提案されたものであって、表示画面のサイズが小さい場合における表示情報の見難さを解消できると同時に、表示画面のサイズが大きい場合には表示領域を十分有効に活用できるカラオケ装置を提供することを目的としている。
【０００７】
【課題を解決するための手段】
上記目的を達成するため、請求項１に記載した発明のカラオケ装置は、カラオケの楽曲の再生に合せて当該楽曲の歌詞テロップと背景映像とを表示装置に表示させるカラオケ装置において、複数のブロックに分けられ、各ブロックに表示装置の表示画面のサイズに応じて何番目までのブロックを表示するかを規定する優先順位が付された、歌詞テロップ及び背景映像以外の表示情報と、表示装置の表示画面のサイズに応じて、表示情報の各ブロックを、表示画面上に表示するか否かおよび表示する場合には表示装置の表示画面上のいずれの位置に表示するかを規定する表示制御情報とを含む表示データを記憶する表示データ記憶手段と、表示情報を表示させる表示装置の表示画面のサイズを記憶する画面サイズ記憶手段と、画面サイズ記憶手段に記憶されている表示画面のサイズと、表示データ記憶手段に記憶されている表示データに含まれる表示制御情報とに基づいて、表示データ記憶手段に記憶されている表示データに含まれる表示情報を表示装置の表示画面上に表示させるための映像情報を生成する映像情報生成手段とを備え、表示装置の表示画面上に表示される表示情報のブロック数を、表示画面のサイズが大きくなるのに応じて優先順位に従い増加させるように構成している。
【０００８】
このカラオケ装置によれば、表示画面上に表示される表示情報のブロック数を、表示画面のサイズが大きくなるのに応じて各ブロックに付された優先順位に従い増加させるので、表示画面のサイズが小さい場合、表示画面上に表示される表示情報の量が少ないことから表示情報が見やすく、しかも表示画面のサイズが大きい場合、表示画面上に表示される表示情報の量が多いことから表示領域を十分有効に活用できる。
【０００９】
【００１０】
また、優先順位の高い表示情報を表示画面のサイズに係わらず常に表示できる。
【００１１】
更に、請求項２に記載した発明のカラオケ装置は、請求項１に記載のカラオケ装置であって、映像情報生成手段は、表示情報の各ブロックの表示画面上におけるイメージサイズが、表示画面のサイズの大小に係わらずほぼ一定になるように、映像情報を生成する。
【００１２】
このカラオケ装置によれば、請求項１に記載のカラオケ装置による効果に加えて、表示情報の各ブロックの表示画面上におけるイメージサイズが、表示画面のサイズの大小に係わらずほぼ一定になるので、表示画面のサイズの大小に係わらず表示情報の見やすさをほぼ一定に維持でき、しかも表示画面のサイズの大小に応じた情報量の表示情報を表示できる。
【００１３】
また、請求項３に記載した発明のカラオケ装置は、請求項１または請求項２に記載のカラオケ装置であって、画面サイズ記憶手段は、複数の表示装置の表示画面のサイズをそれぞれ記憶可能であり、映像情報生成手段は、相互に表示画面のサイズの異なる表示装置毎にそれぞれ設けられており、互いに表示画面のサイズが異なる少なくとも２個の表示装置を含む複数の表示装置に表示情報を表示させることが可能である。
【００１４】
このカラオケ装置によれば、請求項１または請求項２に記載のカラオケ装置による効果に加えて、互いに表示画面のサイズが異なる少なくとも２個の表示装置を含む複数の表示装置に表示情報を表示させることができる。
【００１５】
【発明の実施の形態】
以下、本発明の好ましい実施の形態を、図面を参照しつつ具体的に説明する。
【００１６】
図１は、本発明に係るカラオケ装置の回路ブロック図であって、カラオケ装置本体１は、モデム２、ＬＥＤ群３、外部記憶装置４、ＣＰＵ５、リモコン受光部６、伴奏音再生装置７、および情報再生装置８を備えている。ＣＰＵ５の出力端は、図外の入出力インターフェイスを介して映像再生装置１１の入力端に接続されており、映像再生装置１１および情報再生装置８の出力端は、表示装置１２の入力端に接続されている。伴奏音再生装置７の出力端は、ミキシングアンプ１３の一方の入力端に接続されており、ミキシングアンプ１３の出力端は、スピーカ１４の入力端に接続されている。ミキシングアンプ１４の他方の入力端は、マイクロホン１５の出力端に接続されている。リモコン受光部６は、リモートコントローラ１６からの赤外光による送信信号を受信する。モデム２は、電話回線などの通信回線２１を介してホストコンピュータ２２に接続されている。
【００１７】
カラオケ装置本体１は、演奏曲の背景映像や歌詞テロップ、あるいは文字情報などの表示情報を表示装置１２に表示させるとともに、歌唱者の歌声を伴奏音とともにスピーカ１４から出力させる。モデム２は、ホストコンピュータ２２への送信データを変調し、ホストコンピュータ２２からの受信データを復調する。ＬＥＤ群３は、複数のＬＥＤからなり、利用者により入力された選曲番号や、その他の設定状況などを表示する。外部記憶装置４は、たとえばハードディスク装置からなり、演奏曲の伴奏音信号を生成するための演奏データを含む曲データ、および文字情報などの表示情報を表示装置１２に表示させるための表示データを多数記憶している。ＣＰＵ５は、カラオケ装置本体１の全体を制御する。リモコン受光部６は、リモートコントローラ１６からの赤外光による送信信号を受信して、利用者の操作に応じた操作信号を出力する。伴奏音再生装置７は、外部記憶装置４に記憶さている曲データに含まれる演奏データに基づいて、利用者により選択された演奏曲の伴奏音信号を生成して出力する。情報再生装置８は、外部記憶装置４からの表示データに基づいて、文字情報などの表示情報を表示装置１２に表示させるための映像信号を生成する。
【００１８】
映像再生装置１１は、たとえばレーザディスクプレーヤなどを備えており、外部記憶装置４に記憶されている曲データに含まれる歌詞データに基づいて、レーザディスクプレーヤにより再生された背景映像に歌詞テロップをスーパーインポーズした映像信号を出力する。表示装置１２は、映像再生装置１１および情報再生装置８からの映像信号に基づいて表示画面に映像を表示する。ミキシングアンプ１３は、伴奏音再生装置７からの伴奏音信号とマイクロホン１５からの音声信号とを増幅し、混合して音響信号として出力する。スピーカ１４は、ミキシングアンプ１３からの音響信号を音に変換する。マイクロホン１５は、歌唱者の歌声を音声信号に変換する。リモートコントローラ１６は、複数のキースイッチなどを備えており、利用者の操作に基づいた操作信号により赤外光を変調して放射させる。ホストコンピュータ２２は、外部記憶装置４に記憶される曲データや表示データを通信回線２１を介してカラオケ装置本体１に適宜配信する。ホストコンピュータ２２の記憶装置には、多数の曲データや表示データが記憶されており、データベースを構築している。
【００１９】
すなわち、外部記憶装置４は、複数にブロック分けされた表示情報と、表示画面のサイズに応じて、表示情報の各ブロックを、表示画面上に表示するか否かおよび表示する場合には表示画面上のいずれの位置に表示するかを規定する表示制御情報とを含む表示データを記憶する表示データ記憶手段を構成している。外部記憶装置４は、表示情報を表示させる表示装置１２の表示画面のサイズを記憶する画面サイズ記憶手段を構成している。ＣＰＵ５および情報再生装置８は、画面サイズ記憶手段に記憶されている表示画面のサイズと、表示データ記憶手段に記憶されている表示データに含まれる表示制御情報とに基づいて、表示データ記憶手段に記憶されている表示データに含まれる表示情報を表示装置１２の表示画面上に表示させるための映像情報を生成する映像情報生成手段を構成している。
【００２０】
次に、このように構成されたカラオケ装置の動作の要点について説明する。
【００２１】
このカラオケ装置は、表示装置１２の表示画面のサイズに応じて、文字情報などの表示情報の表示量が変わるので、予め表示装置１２の表示画面のサイズを設定する必要がある。利用者がたとえば機能設定メニュー画面から画面サイズの設定を選択すると、表示装置１２の表示画面に図２に示すようなモニタサイズ入力画面が表示される。この実施形態では、表示画面のサイズを、１０インチ以下、１１〜１７インチ、および１８インチ以上の３種類に分類している。ここで利用者が、リモートコントローラ１６のカーソルキーを押下してカーソル３１を表示装置１２の表示画面のサイズに合わせ、確定キーを押下すると、設定されたサイズが外部記憶装置４に記憶される。以後、文字情報などの表示情報の表示量は、外部記憶装置４に記憶された表示画面のサイズに応じたものとなる。
【００２２】
演奏曲の背景映像や歌詞テロップ以外の、文字情報などの表示情報は、演奏曲の演奏が行われていないときに、外部記憶装置４に記憶されている表示データに基づいて表示装置１２の表示画面に表示される。この表示データは、図３に示すように、ヘッダ部、タイトル部、および行データからなり、ヘッダ部にはモニタサイズ別出力有無情報が含まれている。行データは、モニタサイズ別文字出力座標位置情報と表示内容とからなるブロックが複数個集合したものであって、各ブロックには１，２，３というように優先順位が付けられている。
【００２３】
ヘッダ部のモニタサイズ別出力有無情報は、表示画面のサイズに応じて、行データに含まれる表示内容を優先順位の何番目まで表示するかを規定するものである。行データのモニタサイズ別文字出力座標位置情報は、そのブロックに属する表示内容を表示画面のどの位置に表示するかを、表示画面のサイズ毎に規定するものである。
【００２４】
すなわち、表示データのうち、タイトル部と、行データのうちのモニタサイズ別文字出力座標位置情報以外の部分とは、表示情報を構成している。また、表示データのうち、ヘッダ部に含まれるモニタサイズ別出力有無情報と、行データに含まれるモニタサイズ別文字出力座標位置情報とは、表示制御情報を構成している。
【００２５】
文字情報などの表示情報を表示装置１２の表示画面に表示するに際しては、ＣＰＵ５が、外部記憶装置４から、予め利用者により設定されている表示装置１２の表示画面のサイズと、図３に示すような表示データとを読み出し、表示データのヘッダ部に含まれているモニタサイズ別出力有無情報と表示装置１２の表示画面のサイズとから、表示内容を決定する。すなわち、表示画面のサイズが１８インチ以上であれば、行データの優先順位１〜３までの全てのブロックのモニタサイズ別文字出力座標位置情報および表示内容を読み出し、表示画面のサイズが１１〜１７インチであれば、行データの優先順位１，２のブロックのモニタサイズ別文字出力座標位置情報および表示内容を読み出し、表示画面のサイズが１０インチ以下であれば、行データの優先順位１のブロックのモニタサイズ別文字出力座標位置情報および表示内容だけを読み出す。そしてＣＰＵ５が、各組のモニタサイズ別文字出力座標位置情報に基づいて各組の表示内容の表示画面上での表示位置を判断するとともに、表示画面のサイズに応じて表示内容の文字サイズを判断し、それらのデータを情報再生装置８に出力する。すなわち、表示内容の文字サイズは、表示画面のサイズが１８インチ以上であれば「小」に設定され、表示画面のサイズが１１〜１７インチであれば「中」に設定され、表示画面のサイズが１０インチ以下であれば「大」に設定される。こうすることにより、表示画面のサイズに係わらず、表示画面上に表示される文字の大きさがほぼ一定になる。
【００２６】
これにより情報再生装置８が、ＣＰＵ５からのデータに基づいて、ＣＰＵ５から入力された行データの各ブロックの表示内容が、ＣＰＵ５により決定された文字サイズで、ＣＰＵ５により決定された位置に表示されるように、映像信号を生成し、表示装置１２に出力する。かくして、表示装置１２の表示画面のサイズが１８インチ以上であれば図４に示すような文字情報が表示され、表示画面のサイズが１１〜１７インチであれば図５に示すような文字情報が表示され、表示画面のサイズが１０インチ以下であれば図６に示すような文字情報が表示される。すなわち、表示装置１２の表示画面のサイズが１８インチ以上であれば、行データの優先順位１〜３の全てのブロックの表示情報が表示され、表示画面のサイズが１１〜１７インチであれば、行データの優先順位１，２のブロックの表示情報が表示され、表示画面のサイズが１０インチ以下であれば、行データの優先順位１のブロックの表示情報だけが表示されることになる。そして、これらの表示情報の表示画面上における実際の文字サイズは、表示画面のサイズの大小に係わらず、ほぼ同じである。
【００２７】
カラオケ曲の演奏に際しては、利用者がリモートコントローラ１６に曲番号を入力すると、その曲番号に対応する操作信号がリモコン受光部６を介してＣＰＵ５に入力され、ＣＰＵ５が、外部記憶装置４から演奏曲の曲データを読み出す。そしてＣＰＵ５が、曲データに含まれる楽曲データを伴奏音再生装置７に出力するとともに、曲データに含まれる歌詞データおよび曲情報を映像再生装置１１に出力する。これにより伴奏音再生装置７が、楽曲データに基づいて伴奏音信号を生成し、ミキシングアンプ１３に出力する。また、映像再生装置１１が、曲情報に基づいてたとえば演奏曲のジャンルなどに応じた背景映像の映像信号を再生するとともに、歌詞データに基づいて、歌詞テロップの映像信号を生成し、背景映像に歌詞テロップがスーパーインポーズされるように背景映像の映像信号と歌詞テロップの映像信号とを合成して、表示装置１２に出力する。したがって、スピーカ１４からは演奏曲の伴奏音が出力され、表示装置１２の表示画面には演奏曲の背景映像および歌詞テロップが表示される。そして、歌唱者が歌唱を開始すると、その歌声がマイクロホン１５により音声信号に変換され、ミキシングアンプ１３により増幅されかつ伴奏音再生装置７からの伴奏音信号と混合されて、スピーカ１４に出力される。かくして、歌唱者の歌声と演奏曲の伴奏音とがスピーカ１４から出力される。
【００２８】
次に、上記した画面サイズ設定処理の手順について、図７に示すフローチャートを参照しながら説明する。
【００２９】
表示装置１２の表示画面上に図２に示すようなモニタサイズ入力画面が表示されている状態のときに、先ずカーソルキーが押下されたか否かを判断する（Ｓ１）。具体的には、ＣＰＵ５が、利用者によりリモートコントローラ１６のカーソルキーが押下されたかどうかを、リモコン受光部６からの信号を監視することにより調べる。
【００３０】
カーソルキーが押下されていなければ（Ｓ１：ＮＯ）、確定キーが押下されたか否かを判断する（Ｓ２）。具体的には、ＣＰＵ５が、利用者によりリモートコントローラ１６の確定キーが押下されたかどうかを、リモコン受光部６からの信号を監視することにより調べる。
【００３１】
確定キーが押下されていれば（Ｓ２：ＹＥＳ）、モニタサイズを記憶して（Ｓ３）、このルーチンを終了する。具体的には、ＣＰＵ５が、表示装置１２の表示画面上のカーソル３１により指示されたサイズを、外部記憶装置４に記憶させる。
【００３２】
Ｓ２において、確定キーが押下されていなければ（Ｓ２：ＮＯ）、Ｓ１に戻る。
【００３３】
Ｓ１において、カーソルキーが押下されていれば（Ｓ１：ＹＥＳ）、カーソルを移動させて（Ｓ４）、Ｓ１に戻る。具体的には、ＣＰＵ５が、表示装置１２の表示画面上のカーソル３１を、他のサイズを指示するように移動させる。
【００３４】
次に、上記した情報表示処理の手順について、図８に示すフローチャートを参照しながら説明する。
【００３５】
先ず、表示データを取得する（Ｓ１１）。具体的には、ＣＰＵ５が、外部記憶装置４に記憶されている表示データを読み出す。そして、モニタサイズを取得する（Ｓ１２）。具体的には、ＣＰＵ５が、外部記憶装置４に記憶されている表示装置１２の表示画面のサイズを読み出す。そして、モニタサイズが１８インチ以上であるか否かを判断する（Ｓ１３）。具体的には、ＣＰＵ５が、Ｓ１２で読み出した表示装置１２の表示画面のサイズが１８インチ以上であるかどうかを調べる。
【００３６】
モニタサイズが１８インチ以上であれば（Ｓ１３：ＹＥＳ）、フォントを小に設定する（Ｓ１４）。具体的には、ＣＰＵ５が、表示すべき文字のフォントを小にする旨を、情報再生装置８に指示する。これは、表示画面のサイズが大きいので、表示された文字の大きさが大きくなり過ぎないようにするためである。そして、座標位置を大に設定する（Ｓ１５）。具体的には、ＣＰＵ５が、Ｓ１１で読み出した表示データに含まれるモニタサイズ別文字出力座標位置情報から、表示画面のサイズが１８インチ以上の場合における各ブロックの表示情報の表示位置を抽出して、情報再生装置８に供給する。そして、表示内容１〜３を表示して（Ｓ１６）、このルーチンを終了する。具体的には、ＣＰＵ５が、Ｓ１１で読み出した表示データに含まれるモニタサイズ別出力有無情報を参照することにより、優先順位１〜３のブロックの表示情報を抽出して情報再生装置８に供給し、表示装置１２の表示画面上に表示させる。
【００３７】
Ｓ１３において、モニタサイズが１８インチ以上でなければ（Ｓ１３：ＮＯ）、モニタサイズが１０インチ以下であるか否かを判断する（Ｓ１７）。具体的には、ＣＰＵ５が、Ｓ１２で読み出した表示装置１２の表示画面のサイズが１０インチ以下であるかどうかを調べる。
【００３８】
モニタサイズが１０インチ以下であれば（Ｓ１７：ＹＥＳ）、フォントを大に設定する（Ｓ１８）。具体的には、ＣＰＵ５が、表示すべき文字のフォントを大にする旨を、情報再生装置８に指示する。これは、表示画面のサイズが小さいので、表示された文字の大きさが小さくなり過ぎないようにするためである。そして、座標位置を小に設定する（Ｓ１９）。具体的には、ＣＰＵ５が、Ｓ１１で読み出した表示データに含まれるモニタサイズ別文字出力座標位置情報から、表示画面のサイズが１０インチ以下の場合における各ブロックの表示情報の表示位置を抽出して、情報再生装置８に供給する。そして、表示内容１を表示して（Ｓ２０）、このルーチンを終了する。具体的には、ＣＰＵ５が、Ｓ１１で読み出した表示データに含まれるモニタサイズ別出力有無情報を参照することにより、優先順位１のブロックの表示情報を抽出して情報再生装置８に供給し、表示装置１２の表示画面上に表示させる。
【００３９】
Ｓ１７において、モニタサイズが１０インチ以下でなければ（Ｓ１７：ＮＯ）、モニタサイズが１１〜１７インチであるということなので、フォントを中に設定する（Ｓ２１）。具体的には、ＣＰＵ５が、表示すべき文字のフォントを中にする旨を、情報再生装置８に指示する。そして、座標位置を中に設定する（Ｓ２２）。具体的には、ＣＰＵ５が、Ｓ１１で読み出した表示データに含まれるモニタサイズ別文字出力座標位置情報から、表示画面のサイズが１１〜１７インチの場合における各ブロックの表示情報の表示位置を抽出して、情報再生装置８に供給する。そして、表示内容１，２を表示して（Ｓ２３）、このルーチンを終了する。具体的には、ＣＰＵ５が、Ｓ１１で読み出した表示データに含まれるモニタサイズ別出力有無情報を参照することにより、優先順位１，２のブロックの表示情報を抽出して情報再生装置８に供給し、表示装置１２の表示画面上に表示させる。
【００４０】
なお、上記実施形態では、表示装置１２が１個の場合について説明したが、表示画面のサイズが同一の表示装置１２が複数設けられている場合には、それぞれの表示装置１２に情報再生装置８から映像信号を出力すればよい。また、表示画面のサイズが相互に異なる表示装置１２が複数設けられている場合には、表示画面のサイズ毎に情報再生装置８を設け、外部記憶装置４にそれぞれの表示装置１２の表示画面のサイズを記憶させておき、ＣＰＵ５により各情報再生装置８を上記のように制御すればよい。
【００４１】
また、上記実施形態では、表示情報が文字情報のみからなる例について説明したが、表示情報には文字情報以外の図形情報などが含まれていてもよいことはもちろんである。
【００４２】
更に、上記実施形態では、表示装置１２の表示画面を画面分割しない例について説明したが、表示装置１２の表示画面を画面分割して演奏曲の背景映像と表示情報とを同時に表示させる場合にも、もちろん同様に本発明を適用できる。この場合、画面分割された表示情報の表示領域のサイズをモニタサイズとして外部記憶装置４に記憶させるようにしてもよいし、画面サイズと画面分割数とを外部記憶装置４に記憶させておき、ＣＰＵ５により画面分割された表示情報の表示領域のサイズを演算するように構成してもよい。
【００４３】
また、上記実施形態では、表示装置１２の表示画面のサイズを手動操作により設定したが、表示装置１２側に表示画面のサイズを報知する機能が設けられている場合のように、表示装置１２の表示画面のサイズを自動的に識別することが可能であれば、手動操作による入力は不要である。
【００４４】
【発明の効果】
以上説明したように請求項１に記載した発明のカラオケ装置によれば、表示画面上に表示される表示情報のブロック数を、表示画面のサイズが大きくなるのに応じて各ブロックに付された優先順位に従い増加させるので、表示画面のサイズが小さい場合、表示画面上に表示される表示情報の量が少ないことから表示情報が見やすく、しかも表示画面のサイズが大きい場合、表示画面上に表示される表示情報の量が多いことから表示領域を十分有効に活用できる。
【００４５】
また、優先順位の高い表示情報を表示画面のサイズに係わらず常に表示できる。
【００４６】
更に、請求項２に記載した発明のカラオケ装置によれば、請求項１に記載のカラオケ装置による効果に加えて、表示情報の各ブロックの表示画面上におけるイメージサイズが、表示画面のサイズの大小に係わらずほぼ一定になるので、表示画面のサイズの大小に係わらず表示情報の見やすさをほぼ一定に維持でき、しかも表示画面のサイズの大小に応じた情報量の表示情報を表示できる。
【００４７】
また、請求項３に記載した発明のカラオケ装置によれば、請求項１または請求項２に記載のカラオケ装置による効果に加えて、互いに表示画面のサイズが異なる少なくとも２個の表示装置を含む複数の表示装置に表示情報を表示させることができる。
【図面の簡単な説明】
【図１】  本発明に係るカラオケ装置の回路ブロック図である。
【図２】  図１に示すカラオケ装置によるモニタサイズ入力画面の説明図である。
【図３】  図１に示すカラオケ装置に用いられる表示データの構成を説明する説明図である。
【図４】  図１に示すカラオケ装置による表示画面が大きい場合における表示情報の表示例を説明する説明図である。
【図５】  図１に示すカラオケ装置による表示画面が中の場合における表示情報の表示例を説明する説明図である。
【図６】  図１に示すカラオケ装置による表示画面が小さい場合における表示情報の表示例を説明する説明図である。
【図７】  図１に示すカラオケ装置による画面サイズ設定処理の手順を説明するフローチャートである。
【図８】  図１に示すカラオケ装置による情報表示処理の手順を説明するフローチャートである。
【符号の説明】
１  カラオケ装置本体
２  モデム
３  ＬＥＤ群
４  外部記憶装置
５  ＣＰＵ
６  リモコン受光部
７  伴奏音再生装置
８  情報再生装置
１１  映像再生装置
１２  表示装置
１３  ミキシングアンプ
１４  スピーカ
１５  マイクロホン
１６  リモートコントローラ
２１  通信回線
２２  ホストコンピュータ
【図１】
0003703926.tif 000002
【図２】
0003703926.tif 000003
【図３】
0003703926.tif 000004
【図４】
0003703926.tif 000005
【図５】
0003703926.tif 000006
【図６】
0003703926.tif 000007
【図７】
0003703926.tif 000008
【図８】
0003703926.tif 000009